(57)【要約】  【課題】  発汗により患部から脱落する虞のある粘着シートによらずに患部へ取り付けられ、患部の皮膚面のかぶれを防止できる患部治療体を提供し、その患部治療体の患部への取り付けに伴う違和感や装着感が改善された治療用器具を提供することにある。  【解決手段】  治療用器具１０は、環状に丸めたバンド部材６が治療用部材１，１により留められた状態で、例えば、患部となる上腕１１の外周に捲着される。これによって、患部には磁石２，２の磁気作用が付与されて血行促進が図られると共に、磁石２，２の隆起による指圧の効能が付与される。しかも、バンド部材６にはその延長方向に複数の係合孔７が穿設されるので、治療用部材１の係合ボタン５を係合させる係合孔７を掛け替えることで、バンド部材６の周囲長さをピッチＰずつ僅かに微調整でき、この微調整によってバンド部材６の張り具合を微調節できる。【選択図】        図４
0003141279.tif 000002
【実用新案登録請求の範囲】
【請求項１】
磁性を有する磁石が一面に取着される略円盤体状の基部と、その基部より外径が小さく形成されその基部における前記磁石の取着面とは反対の面に一端が連設される連結部と、その連結部の他端に連設されその連結部より外径が大きく且つ前記基部より外径が小さく形成される係合部とが設けられる患部治療体と、
その患部治療体を患部に取り付けるため、複数本の縦糸と横糸とにより長尺帯状に編成されたゴム入り織物製の紐状体であって、その紐状体自体の延長方向に伸縮可能に形成され、この伸張状態で弾性復元力を発揮するバンド部材と、
そのバンド部材の延長方向に略等間隔毎に穿設され前記患部治療体における前記基部及び係合部より小さくて前記連結部が貫通可能な複数の略直線状の切口であって、その切口縁が前記バンド部材の幅方向に隙間が殆どなく閉じられ、その切口が前記バンド部材の伸縮性によって伸張して広げられ、その切口の伸張によって前記係合部を貫通可能となる複数の係合孔とを備えていることを特徴とする治療用器具。
【請求項２】
前記患部治療体の磁石は、その患部治療体の前記基部における前記磁石の取着面から隆起する略粒状に形成されているものであることを特徴とする請求項１記載の治療用器具。
【請求項３】
前記バンド部材を一対備え、その一対のバンド部材が前記紐状体の幅方向に並設されその紐状体の延長方向中間部分にて互いに接合されているものであることを特徴とする請求項１又は２に記載の治療用器具。
【請求項４】
複数本の縦糸と横糸とにより長尺帯状に編成されたゴム入り織物製の紐状体であって、その紐状体自体の延長方向に伸縮可能に形成され、この伸張状態で弾性復元力を発揮するバンド部材と、そのバンド部材の延長方向に略等間隔毎に穿設される複数の略直線状の切口であって、その切口縁が前記バンド部材の幅方向に隙間が殆どなく閉じられ、その切口が前記バンド部材の伸縮性によって伸張して広げられ、その切口の伸張によって貫通可能となる複数の係合孔とを介して、患部に取り付けられる患部治療体において、
磁性を有する磁石が一面に取着され、前記係合孔の切口よりも大きな略円盤体状の基部と、
その基部より外径が小さく形成され、その基部における前記磁石の取着面とは反対の面に一端が連設され、前記係合孔の切口に貫通可能に形成される連結部と、
その連結部の他端に連設され、その連結部より外径が大きく、前記基部より外径が小さく、かつ、前記係合孔の切口よりも大きく形成される係合部とが設けられているものであることを特徴とする患部治療体。
【請求項５】
前記磁石は、前記基部におけるその磁石の取着面から隆起する略粒状に形成されているものであることを特徴とする請求項４記載の患部治療体。
【考案の詳細な説明】
【技術分野】
【０００１】
本考案は、患部に取り付けられて使用される患部治療体および治療用器具に関するものである。
【背景技術】
【０００２】
磁気作用により血行促進を目的とした治療用器具については、従来より種々の提案がなされており、その代表的なものに磁石を絆創膏などの粘着シートの粘着面に直接貼着させたものがある。このような磁気治療用器具は、使用者の患部に磁石を直に当てるようにして、粘着シートを皮膚面に貼着させることによって、磁石の磁気が患部に治療作用を及ぼすというものである。
【考案の開示】
【考案が解決しようとする課題】
【０００３】
ところが、このように粘着シートを用いた健康具では、粘着シートが貼着された人体の皮膚面にかぶれを生じるという問題点や、また発汗により粘着シートが患部から脱落する虞があるという問題点がある。そこで、かかる問題点を改善すべく、実用新案登録第３０１２０８０号公報には、磁石を患部に取り付ける手段として輪ゴムなどのエンドレスゴム紐を用いた健康具が提案されており、この健康具によれば、磁石が埋め込まれた健康具にエンドレスゴム紐が掛け通される溝が形成され、この溝に掛けられたエンドレスゴム紐を腕や脚等に捲回させることによって身体に装着される。
【０００４】
しかしながら、上述したエンドレスゴム紐を用いた健康具では、そのエンドレスゴムの長さが一般に略数ｃｍに規格化されているため、健康具を患部に取り付ける場合にエンドレスゴム紐の張り具合を微調整することができないという問題点がある。また、同公報図３に示すように健康具に形成される溝は極めて細く、当該溝に掛けられるエンドレスゴム紐も例えば、略１〜２ｍｍ程度と細いものと推測されるので、当該ゴム紐の張り具合を適正に調節できずにいると、当該ゴム紐が身体に食い込んでしまうという問題点もある。
【０００５】
また、市販されるエンドレスゴム紐を用いる場合、かかるゴム紐自体のバネ定数は比較的小さいため、患部に健康具を強く押し当てることもできず、また、患部に体毛がある場合には体毛を巻き込んでしまう。以上の点を鑑みるに、健康具を患部に取り付ける手段としてエンドレスゴム紐は、使用者に多大な不快感や違和感を与えるものであるという問題点があった。
【０００６】
本考案は、上述した問題点を解決するためになされたものであり、発汗により患部から脱落する虞のある粘着シートによらずに患部へ取り付けられ、患部の皮膚面のかぶれを防止できる患部治療体、および、その患部治療体の患部への取り付けに伴う違和感や装着感が改善された治療用器具、を提供することを目的としている。
【課題を解決するための手段】
【０００７】
この目的を達成するために請求項１の治療用器具は、磁性を有する磁石が一面に取着される略円盤体状の基部と、その基部より外径が小さく形成されその基部における前記磁石の取着面とは反対の面に一端が連設される連結部と、その連結部の他端に連設されその連結部より外径が大きく且つ前記基部より外径が小さく形成される係合部とが設けられる患部治療体と、その患部治療体を患部に取り付けるため、複数本の縦糸と横糸とにより長尺帯状に編成されたゴム入り織物製の紐状体であって、その紐状体自体の延長方向に伸縮可能に形成され、この伸張状態で弾性復元力を発揮するバンド部材と、そのバンド部材の延長方向に略等間隔毎に穿設され前記患部治療体における前記基部及び係合部より小さくて前記連結部が貫通可能な複数の略直線状の切口であって、その切口縁が前記バンド部材の幅方向に隙間が殆どなく閉じられ、その切口が前記バンド部材の伸縮性によって伸張して広げられ、その切口の伸張によって前記係合部を貫通可能となる複数の係合孔とを備えている。
【０００８】
請求項２の治療用器具は、請求項１の治療用器具において、前記患部治療体の磁石は、その患部治療体の前記基部における前記磁石の取着面から隆起する略粒状に形成されているものである。
【０００９】
請求項３の治療用器具は、請求項１又は２の治療用器具において、前記バンド部材を一対備え、その一対のバンド部材が前記紐状体の幅方向に並設されその紐状体の延長方向中間部分にて互いに接合されているものである。かかる治療用器具によれば、一方のバンド部材を、関節部を介して相互に連結される一方の身体部位に捲着でき、その上さらに、他方のバンド部材を、他方の身体部位に捲着できる。
【００１０】
請求項４の患部治療体は、複数本の縦糸と横糸とにより長尺帯状に編成されたゴム入り織物製の紐状体であって、その紐状体自体の延長方向に伸縮可能に形成され、この伸張状態で弾性復元力を発揮するバンド部材と、そのバンド部材の延長方向に略等間隔毎に穿設される複数の略直線状の切口であって、その切口縁が前記バンド部材の幅方向に隙間が殆どなく閉じられ、その切口が前記バンド部材の伸縮性によって伸張して広げられ、その切口の伸張によって貫通可能となる複数の係合孔とを介して、患部に取り付けられるものであり、磁性を有する磁石が一面に取着され、前記係合孔の切口よりも大きな略円盤体状の基部と、その基部より外径が小さく形成され、その基部における前記磁石の取着面とは反対の面に一端が連設され、前記係合孔の切口に貫通可能に形成される連結部と、その連結部の他端に連設され、その連結部より外径が大きく、前記基部より外径が小さく、かつ、前記係合孔の切口よりも大きく形成される係合部とが設けられているものである。
【００１１】
請求項５の患部治療体は、請求項４の患部治療体において、前記磁石は、前記基部におけるその磁石の取着面から隆起する略粒状に形成されているものである。
【００１２】
本考案の患部治療体または治療用器具によれば、患部治療体をバンド部材に取り付けるため、患部治療体の係合部がバンド部材における複数の係合孔のいずれか１つに押し込まれる。この押し込みに伴って、係合孔の切口周縁はバンド部材（紐状体）の伸縮性により伸張され、この係合孔の切口の伸張によって、係合部は係合孔に貫通される。この貫通後、係合孔の切口はバンド部材の伸縮性により縮小され、係合孔内には患部治療体の連結部が通された状態となり、この状態をもって患部治療体の係合部が係合孔に係合された状態とされる。この結果、バンド部材が基部と係合部との間に挟まれたような状態で、患部治療体がバンド部材に取り付けられる。
【００１３】
また、治療用器具によれば、バンド部材は、患部治療体の磁石が内周側となるように環状に丸められた状態で患部周囲に捲回され、バンド部材を介して患部治療体が患部に取り付けられる。ここで、バンド部材を環状に丸めるには、まず、患部治療体がバンド部材の延長方向一端側に上記要領で取り付けられ、そのバンド部材の一端側の外周にバンド部材の延長方向他端側の内周が当接するようにバンド部材が環状に丸められて、バンド部材の両端が重ね合わせられる。バンド部材を丸めて両端を重ね合わせた後は、バンド部材の延長方向一端側の外周に現れる患部治療体の係合部に、バンド部材の延長方向他端側に穿設される係合孔のいずれか１つを上記要領で係合させると、バンド部材は環状に丸められた状態で患部治療体により留められる。
【考案の効果】
【００１４】
本考案の患部治療体または治療用器具によれば、バンド部材の紐状体には患部治療体の係合部が係合可能な係合孔が略等間隔で複数穿設されるので、磁石と患部との相対位置を微調整でき、患部周囲に捲回されるバンド部材の周囲長さを微調節できるという効果がある。また、バンド部材は織成された長尺帯状の紐状体であるので、身体に食い込みにくく、肌触りも良く装着時の違和感を与えることなく、良好な装着性を確保できるという効果もある。
【００１５】
更に、患部治療体の係合部がバンド部材の係合孔に係合される場合、係合部は係合孔の切口を広げて押し込まれ、係合部が貫通した後、係合孔の切口は紐状体の伸縮性により縮小されるので、患部治療体がバンド部材から抜脱し難くすることができるという効果がある。しかも、バンド部材には、複数の係合孔が略等間隔で穿設されるので、これら複数の係合孔を介してバンド部材に２以上の患部治療体を取り付けて患部を治療することもできるという効果がある。
【００１６】
また、バンド部材を介して患部治療体が患部に取り付けられた場合、患部に当てられた磁石の磁気作用によって患部の治療がなされるという効果がある。
【００１７】
特に、請求項２の治療用器具または請求項５の患部治療体にあっては、略粒状に形成された磁石は基部における取着面から隆起されるので、この隆起した磁石により患部を押圧して指圧による効能をも付与することができるという効果がある。
【考案を実施するための最良の形態】
【００１８】
以下、本考案の好ましい実施例について、添付図面を参照して説明する。図１（ａ）は、本考案の一実施例である治療用器具に使用される治療用部材１の平面図であり、図１（ｂ）は、治療用部材１の側面図である。図１に示すように、治療用部材１は、相互に同心状となる平面視略円形の磁石２、台座３、軸体４、及び係合ボタン５を備えている。磁石２は、略粒状の略円柱形に形成された永久磁石であり、例えば、直径が略５ｍｍで高さが略２ｍｍ程度のものを使用可能である。この磁石２には、数千ガウスの磁力を有するもの、例えば、ネオジム系磁石が使用可能である。
【００１９】
台座３、軸体４及び係合ボタン５は、例えば、ポリ塩化ビニル樹脂などの合成樹脂材料で一体成形された部材であり、台座３の上面中央には磁石２が接着（取着）されている。台座３は、他の部材２，４，５より外径が大きな略円盤体であり、磁石２の接着面に対する反対面、すなわち台座３の下面中央に軸体４の一端が連設されている。軸体４は、その中心軸方向（図１（ｂ）上下方向）に長さｔ１を有しており、その中心軸方向他端に係合ボタン５の一面（上端面）が連設されている。
【００２０】
この係合ボタン５は、軸体４の略３倍程度の外径を有しており、台座３は係合ボタン５の略２．５倍程度の外径を有している。また、台座３と係合ボタン５との間には軸体４が介設される構造とされており、この軸体４を介して台座３及び係合ボタン５の対向面間には間隔ｔ１が設けられている。また、磁石２は、台座３との接着面から高さｈだけ隆起した状態とされており、この高さｈは磁石２の高さとほぼ同等とされている。このように磁石２が台座３から隆起されることによって、磁石２が患部に当てられた場合に、かかる患部を磁石２により押圧して患部に指圧効果を与えることができる。
【００２１】
図２（ａ）は、治療用器具に使用されるバンド部材６の平面図であり、図２（ｂ）は、バンド部材６の側面図である。バンド部材６は、上記した治療用部材１を使用者の患部に取り付けるためのものである。図２（ａ）に示すように、バンド部材６は、長尺帯状に織成された紐状体であって、平面視略長方形状に形成されている。例えば、この紐状体の幅（短辺方向長さ）が略２ｃｍ程度とされている。このバンド部材６の紐状体は、複数本の縦糸と横糸とにより織成されたゴム入り織物で形成されており、複数本の縦糸の少なくとも一部に伸縮性を有するゴム製の伸縮性糸を組み込んだ織物である。このため、バンド部材６は、紐状体の縦糸の伸縮性糸により延長方向（長辺方向）（図２左右方向）へ伸縮自在に形成されている。
【００２２】
また、バンド部材６の紐状体は、ゴム製の伸縮性糸を除く縦糸や横糸の全部又は一部として、マイナスイオンを発生する機能を有する糸材（以下「マイナスイオン糸」という）が組み込まれている。このマイナスイオン糸は、例えば、マイナスイオンの発生機能を有するトルマリンなどの粒子を繊維原料に練り込んで形成した繊維を撚って糸状に形成したものであり、例えばトルマリンフィラメント（高田化成製）が使用可能である。このため、バンド部材６のマイナスイオン糸から発生するマイナスイオンによる効能も、使用者に与えることができる。なお、ゴム製の伸縮性糸自体にマイナスイオンの発生機能を付与したものを使用しても良い。
【００２３】
また、バンド部材６には、そのバンド部材６の延長方向（図２左右方向）、即ち、バンド部材６の一端６ａ側から他端６ｂ側へと略等間隔ピッチＰ毎に係合孔７が複数穿設されている。この複数の係合孔７は、それぞれバンド部材６の延長方向に長さＷを有する略直線状の小さな切口であり、バンド部材６の厚さｔ２（図２（ｂ）参照）方向に貫通されている。ここで、係合孔７の切口は、バンド部材６の幅方向に隙間が殆どなく切口縁が閉じた状態とされており、治療用部材１の軸体４が貫通した場合に、係合孔７の切口の弾性復元力により治療用部材１のがたつきを防止できる。
【００２４】
更に、これらの係合孔７の長さＷは、上記治療用部材１の台座３及び係合ボタン５の外径より小さくされている。よって、係合ボタン５が係合孔７に掛け通されて係合された場合に、台座３及び係合ボタン５が係合孔７から抜脱して治療用部材１がバンド部材６から脱落することを防止できる。
【００２５】
また、図２（ｂ）に示したバンド部材６の厚さｔ２は、治療用部材１における台座３及び係合ボタン５間の間隙ｔ１より小さくされており（ｔ２＜ｔ１）、例えば、その間隙ｔ１の略１／３以上から略１／２以下の厚さとされている。図４に示すように、バンド部材６の一端６ａ側と他端６ｂ側とを重ねて２つの係合孔７，７にまとめて係合ボタン５を掛け通す場合に、台座３及び係合ボタン５間に二重に重ねられたバンド部材６を無理なく遊嵌させるためである。
【００２６】
次に、上記のように構成された治療用部材１及びバンド部材６を備えた治療用器具１０の使用方法について説明する。図３（ａ）は、治療用部材１，１によりバンド部材６が環状となった状態の治療用器具１０の側面図であり、図３（ｂ）は、図３（ａ）に示す状態の治療用器具１０が上腕１１に装着された状態を示す図である。また、図４は、図３（ｂ）に示す装着状態の部分断面図である。
【００２７】
図３（ａ）に示すように、バンド部材６は、その一端６ａ側と他端６ｂ側とを二重に重ね合わせるように環状に丸められて、図３（ｂ）に示すように患部となる部位（図３（ｂ）中では上腕１１）に捲回される。図３（ａ）に示すように、バンド部材６の両端６ａ，６ｂの双方は２個の治療用部材１，１により、二重に重なり合った部分が留められており、環状のバンド部材６の内周側から内方へ磁石２，２が突出するように、且つ、環状のバンド部材６の外周側に係合ボタン５，５が現れるようにされている。
【００２８】
次に、治療用器具１０の患部への取り付け方法の一例について説明する。図４に示すように、治療用部材１をバンド部材に取り付ける場合には、まず、治療用部材１の係合ボタン５がバンド部材６の一端６ａ側に穿設されるいずれかの係合孔７へ押し込まれる。係合ボタン５が係合孔７へ押し込まれると、治療用部材１の係合ボタン５はバンド部材６の係合孔７の長さＷより大きな外径を有しているが、バンド部材６は伸縮可能に形成されるので、係合孔７の切口が係合ボタン５により伸張して広げられる。
【００２９】
更に、係合ボタン５が係合孔７へ押し込まれると、係合ボタン５が係合孔７を貫通して、軸体４が係合孔７に通された状態で、係合ボタン５が係合孔７に係合されて、治療用部材１がバンド部材６に取り付けられる。また、もう一方の治療用部材１も同様にしてバンド部材６に取り付けられる。治療用部材１，１の取り付け後は、図３（ａ）に示すように、磁石２，２を内周側へ向けた状態で、バンド部材６の他端６ｂ側がバンド部材６の一端６ａ側の外周面に重なるようにバンド部材６が環状に丸められる。
【００３０】
このように丸められると、バンド部材６の一端６ａ側の外周面には治療用部材１，１の係合ボタン５，５が現れるので、この係合ボタン５，５にバンド部材６の他端６ｂ側の係合孔７，７を更に係合させる。すると、バンド部材６の両端６ａ，６ｂは重なり合った状態で治療用部材１，１により留められる。このとき、環状のバンド部材６の内径は患部となる上腕１１の太さより若干小さめにされる。これによって、バンド部材６は伸張した状態で上腕１１に捲着（止着）されるので、バンド部材６の弾性復元力によりバンド部材６のずれ動きが防止され、治療用部材１，１の患部からの位置ずれを防ぐことができる。
【００３１】
治療用部材１，１によりバンド部材６を環状に留めた後は、環状のバンド部材６の内周に下腕１２が通され肘関節部１３を越えて上腕１１に達すると、磁石２，２が患部に当てられる。患部に当たる磁石２，２は、患部を押圧することに加えて、その磁気作用によって患部の血行促進を図ることができる。更に、バンド部材６のマイナスイオン糸から発生するマイナスイオンによる効能を付与することもできる。しかも、バンド部材６にはその延長方向に複数の係合孔７が穿設されるので、治療用部材１の係合ボタン５を係合させる係合孔７を掛け替えることで、バンド部材６の周囲長さをピッチＰずつ僅かに微調整でき、この微調整によってバンド部材６の張り具合を微調節できる。
【００３２】
次に、図５及び図６を参照して、上記実施例の変形例について説明する。図５は、第２実施例の治療用器具２０（図６参照）に使用されるバンド部材２１の平面図であり、図６は、治療用器具２０を肘関節部１３及び肩関節部１４に取り付けた状態を示す図である。第２実施例の治療用部材２０は、上記した第１実施例に対して、バンド部材の形態を変更したものである。以下、第１実施例と同一となる部分ついては説明を省略し、異なる部分について説明する。また、以下の説明で必要な限りにおいて、第１実施例と同一となる部分に同一の符号を付する。
【００３３】
第２実施例のバンド部材２１は、上記した一対のバンド部材６，６を備えており、この各バンド部材６，６は、それ自体を形成する長尺帯状の紐状体の幅方向（図５左右方向）に互いに並設され、且つ、その紐状体の延長方向（図５上下方向）中間部分にて互いに縫合されている。即ち、バンド部材２１は、２本のバンド部材６，６が縫合部２１によって一体に接合されたものである。このバンド部材２１を用いた治療用器具２０によれば、図６に示すように、一方のバンド部材６を上腕１１に他方のバンド部材６を下腕１２に捲着することによって、肘関節部１３で繋がれる上腕１１及び下腕１２の双方に治療用部材１，１をまとめて装着できる。また、同様にして、肩関節部１４で繋がれる上腕１１及び肩１５にも、治療用部材１，１をまとめて装着できる。
【００３４】
以上、実施例に基づき本考案を説明したが、本考案は上記実施例に何ら限定されるものではなく、本考案の趣旨を逸脱しない範囲内で種々の改良変形が可能であることは容易に推察できるものである。
【００３５】
具体的には、上記実施例では、１本のバンド部材６には２個の治療用部材１，１を取り付けたが、かかる治療用部材１の個数は、必ずしもこれに限定されるものではなく、バンド部材６に治療用部材１の係合ボタン５が未係合の係合孔７があれば、３個以上だって治療用部材１を取り付けることができる。例えば、図３（ａ）に示すように、バンド部材６の両端６ａ，６ｂを留める２個の治療用部材１，１（図中の実線）に加えて、バンド部材６の他の位置に治療用部材１（図中の２点鎖線）を取り付けることもできる。また、バンド部材６の捲着される患部は必ずしも上記の部位に限定されるものではなく、脚部や胴部であっても良い。
【００３６】
また、上記実施例では治療用部材１の各部２〜５を平面視略円形としたが、かかる形状は必ずしも略円形に限定されるものではなく、平面視略矩形、楕円形など他の形状であっても良い。また、係合孔７の切口も略直線状に限定されるものではなく、円形、楕円形、矩形、星形、三角形など他の形状であっても良い。即ち、治療用部材の係合部がバンド部材の係合孔から抜脱しないように、係合孔の切口に比べて治療用部材の台座及び係合ボタンが大きければ良い。
【図面の簡単な説明】
【００３７】
【図１】（ａ）は、本考案の一実施例である治療用器具に使用される治療用部材の平面図であり、（ｂ）は、治療用部材の側面図である。
【図２】（ａ）は、治療用器具に使用されるバンド部材の平面図であり、（ｂ）は、バンド部材の側面図である。
【図３】（ａ）は、治療用部材によりバンド部材が環状に留められた状態の治療用器具の側面図であり、（ｂ）は、（ａ）に示す状態の治療用器具が上腕に装着された状態を示す図である。
【図４】図３（ｂ）に示す装着状態の部分断面図である。
【図５】第２実施例の治療用器具に使用されるバンド部材の平面図である。
【図６】第２実施例の治療用器具を肘関節部及び肩関節部に取り付けた状態を示す図である。
【符号の説明】
【００３８】
１                  治療用部材（患部治療体）
２                  磁石
３                  台座（基部）
４                  軸体（連結部）
５                  係合ボタン（係合部）
６，２１            バンド部材
７                  係合孔
１０，２０          治療用器具
【図１】
0003141279.tif 000003
【図２】
0003141279.tif 000004
【図３】
0003141279.tif 000005
【図４】
0003141279.tif 000006
【図５】
0003141279.tif 000007
【図６】
0003141279.tif 000008